(57)【要約】【課題】イオン発生部が発生したイオンを、送風機により吸込まれた空気に効率的に含ませることができ、イオン発生部が発生するイオン量と室内のイオン量との差を低減でき、室内のイオン量を多くすることができるイオン発生装置及び空気清浄装置を提供する。【解決手段】吸込口及び放出口を有するハウジングと、羽根車２１及び該羽根車２１を収容してあるケーシング２２を有し、前記ハウジング内に収容されている送風機２と、該送風機２が前記吸込口から吸込む空気を通過させるフィルタと、プラスイオン及びマイナスイオンを発生させる二つのイオン発生部とを備え、該イオン発生部を、ケーシング２２の円弧形誘導壁２２ａに配し、イオン発生部が発生したプラスイオン及びマイナスイオンを、円弧形誘導壁２２ａに沿って層流の状態で通流する空気に効率的に含ませることができるようにした。【選択図】図２
2010075664.tif 000002
【特許請求の範囲】
【請求項１】
吸込口及び放出口を有するハウジングと、該ハウジング内に収容されている送風機と、該送風機が前記吸込口から吸込む空気を通過させるフィルタと、イオンを発生させるイオン発生部とを備え、該イオン発生部が発生したイオンを、前記送風機により吸込まれた空気とともに前記放出口から放出するようになしてある空気清浄装置において、前記イオン発生部は、前記空気の通流が層流となる層流部に配してあることを特徴とするイオン発生装置。
【請求項２】
前記送風機は羽根車を有し、該羽根車の回転により発生する気流を整風する整風体を備え、該整風体に前記イオン発生部を配してある請求項１記載のイオン発生装置。
【請求項３】
前記送風機は、羽根車及び該羽根車を収容してあるケーシングを有し、該ケーシング及び前記放出口の間に配され、前記空気を前記放出口へ通流させる通流路を有し、該通流路及び前記ケーシングに前記イオン発生部を配してある請求項１記載のイオン発生装置。
【請求項４】
前記ケーシングは、前記羽根車の回転により発生する気流を誘導する円弧形誘導壁及び該円弧形誘導壁の一部から円弧形誘導壁の接線方向一方へ開放されている吹出口を有し、前記円弧形誘導壁に前記イオン発生部を配してある請求項３記載のイオン発生装置。
【請求項５】
前記イオン発生部は、前記空気が通流する通流方向と交差する方向に離隔して複数配してある請求項１から４のいずれか一つに記載のイオン発生装置。
【請求項６】
前記イオン発生部は、前記通流方向へ離隔し、且つ前記通流方向と交差する方向へ相対的に偏倚した位置に複数配してある請求項１から４のいずれか一つに記載のイオン発生装置。
【請求項７】
前記イオン発生部夫々は、前記通流方向の重なりがないように配してある請求項６記載のイオン発生装置。
【請求項８】
前記イオン発生部夫々を保持する保持体を有し、該保持体は、前記通流方向へ湾曲し、且つ前記イオン発生部夫々に対応する箇所が開口している湾曲面を有し、該湾曲面の前記開口に前記イオン発生部夫々を配してある請求項７記載のイオン発生装置。
【請求項９】
請求項１から８までのいずれか一つに記載のイオン発生装置を備える空気清浄装置。
【発明の詳細な説明】
【技術分野】
【０００１】
本発明はイオン発生部が発生したイオンを、送風機により吸込まれた空気とともに室内へ放出し、室内の空気を清浄にするためのイオン発生装置及び空気清浄装置に関する。
【背景技術】
【０００２】
居住室内の空気は、ダニの粉じん、花粉等のアレル物質、浮遊するカビ菌、ウイルス、異臭等の様々の物質で汚染されており、また、近年では住宅の高密度化が進んだこともあり、汚染物質が室内に留まりやすいので、積極的に換気を行う必要がある。しかし、大気汚染のひどい地域の室内、花粉症の居住者が入居、労働する室内では、窓を開放して換気することが思うに任せないことが多く、空気清浄装置が使用される。
【０００３】
空気清浄装置は、後面に吸込口を有し、上部に放出口を有するハウジング内に収容されている送風機と、該送風機が前記吸込口から吸込む空気を通過させるフィルタと、イオンを発生させるイオン発生部とを備える。そして、イオン発生部が発生したイオンを、前記送風機により吸込まれた空気とともに前記放出口から室内へ放出し、室内の汚染物質をイオンが分解し、室内空気を清浄化するように構成されている（例えば、特許文献１参照）。
【０００４】
イオン発生部は、離隔して並置されたプラス電極及びマイナス電極を有し、プラス電極及びマイナス電極間に電位を与えることにより、プラス電極からプラスイオンが放出され、マイナス電極からマイナスイオンが放出される。放出されたプラスイオン及びマイナスイオンが、前記送風機により吸込まれた空気に含まされ、この空気とともに放出口から室内へ放出される。
【先行技術文献】
【特許文献】
【０００５】
【特許文献１】特開２００２−２５７４０８号公報
【発明の概要】
【発明が解決しようとする課題】
【０００６】
従来の空気清浄装置において、イオン発生部が発生するイオン量と、空気とともに放出口から放出された室内のイオン量とを測定したところ、イオン発生部が発生するイオン量に比べて室内のイオン量が比較的少ないことが分かった。
【０００７】
本発明は斯かる事情に鑑みてなされたものであり、主たる目的は、送風機により吸込まれた空気の通流が層流となるようになしてある層流部にイオン発生部を配することにより、イオン発生部が発生したイオンを、送風機により吸込まれた空気に効率的に含ませることができ、イオン発生部が発生するイオン量と室内のイオン量との差を低減でき、室内のイオン量を多くすることができるイオン発生装置及び空気清浄装置を提供することにある。
【課題を解決するための手段】
【０００８】
本発明に係るイオン発生装置は、吸込口及び放出口を有するハウジングと、該ハウジング内に収容されている送風機と、該送風機が前記吸込口から吸込む空気を通過させるフィルタと、イオンを発生させるイオン発生部とを備え、該イオン発生部が発生したイオンを、前記送風機により吸込まれた空気とともに前記放出口から放出するようになしてある空気清浄装置において、前記イオン発生部は、前記空気の通流が層流となる層流部に配してあることを特徴とする。
【０００９】
この発明にあっては、イオン発生部が発生したイオンを、空気の通流が層流となるようになしてある層流部で空気に含ませることができるため、イオン発生部が発生したイオンを空気に効率的に含ませることができ、空気に含まれるイオン量を増すことができ、室内へ放出されたイオン量を多くすることができる。因って、室内空気の清浄化をより一層高めることができる。
【００１０】
また、本発明に係るイオン発生装置は、前記送風機は羽根車を有し、該羽根車の回転により発生する気流を整風する整風体を備え、該整風体に前記イオン発生部を配してある構成とするのが好ましい。
この発明にあっては、整風体により整風にされて層流に通流する空気にイオンを効率的に含ませることができるため、空気とともに放出口から放出されるイオン量をより一層増すことができる。
【００１１】
また、本発明に係るイオン発生装置は、前記整風体は前記羽根車を収容してあるケーシングである構成とするのが好ましい。
この発明にあっては、ケーシング内の比較的狭い通路を通流する層流の空気にイオンを含ませることができるため、イオン発生部が発生したイオンを効率的に空気に含ませることができ、空気とともに放出口から放出されるイオン量をより一層増すことができる。
【００１２】
また、本発明に係るイオン発生装置は、前記送風機は、羽根車及び該羽根車を収容してあるケーシングを有し、該ケーシング及び前記放出口の間に配され、前記空気を前記放出口へ通流させる通流路を有し、該通流路及び前記ケーシングに前記イオン発生部を配してある構成とするのが好ましい。
この発明にあっては、ケーシング内の比較的狭い通路を通流する層流の空気にイオンを含ませることができ、さらに、ケーシングの吹出口から通流路へ吹出された空気に、イオン発生部が発生したイオンを含ませることができる。因って、イオン発生部が発生したイオンをより一層効率的に空気に含ませることができ、空気とともに放出口から放出されるイオン量をより一層増すことができる。
【００１３】
また、本発明に係るイオン発生装置は、前記ケーシングは、前記羽根車の回転により発生する気流を誘導する円弧形誘導面及び該円弧形誘導面の一部から円弧形誘導面の接線方向一方へ開放されている吹出口を有し、前記円弧形誘導面に前記イオン発生部を配してある構成とするのが好ましい。
この発明にあっては、ケーシング内の比較的狭い通路を高風速で通流する層流の空気にイオンを含ませることができる。因って、イオン発生部が発生したイオンをより一層効率的に空気に含ませることができ、空気とともに放出口から放出されるイオン量をより一層増すことができる。
【００１４】
また、本発明に係るイオン発生装置は、前記イオン発生部は、前記空気が通流する通流方向と交差する方向に離隔して複数配してある構成とするのが好ましい。
この発明にあっては、ケーシング内の比較的狭い通路で層流の空気にイオンを含ませる箇所を多くすることができる。因って、イオン発生部が発生したイオンをより一層効率的に空気に含ませることができ、空気とともに放出口から放出されるイオン量をより一層増すことができる。
【００１５】
また、本発明に係るイオン発生装置は、前記イオン発生部は、前記通流方向へ離隔し、且つ前記通流方向と交差する方向へ相対的に偏倚した位置に複数配してある構成とするのが好ましい。
この発明にあっては、ケーシング内の比較的狭い通路で層流の空気にイオンを含ませる箇所を、既存のケーシングで多くすることができる。因って、イオン発生部が発生したイオンをより一層効率的に空気に含ませることができ、空気とともに放出口から放出されるイオン量をより一層増すことができる。
【００１６】
また、本発明に係るイオン発生装置は、前記イオン発生部夫々は、前記通流方向の重なりがないように配してある構成とするのが好ましい。
この発明にあっては、イオン発生部夫々が発生したイオンが打ち消されることなく層流の空気に含ませることができ、イオンをより一層効率的に空気に含ませることができ、空気とともに放出口から放出されるイオン量をより一層増すことができる。
【００１７】
また、本発明に係るイオン発生装置は、前記イオン発生部夫々を保持する保持体を有し、該保持体は、前記通流方向へ湾曲し、且つ前記イオン発生部夫々に対応する箇所が開口している湾曲面を有し、該湾曲面の前記開口に前記イオン発生部夫々を配してある構成とするのが好ましい。
この発明にあっては、ケーシングの、羽根車の回転により発生する気流を誘導する円弧形誘導面に保持体の湾曲面を対接させることができるため、複数のイオン発生部を同形状にすることができ、イオン発生部夫々のイオン発生量を均等にすることができる。
【００１８】
また、本発明に係る空気清浄装置は、前述に記載のイオン発生装置を備えることを特徴とする。
この発明にあっては、イオン発生部が発生したイオンを、空気の通流が層流となるようになしてある層流部で空気に含ませることができる。因って、イオン発生部が発生したイオンを空気に効率的に含ませることができ、空気に含まれるイオン量を増すことができ、室内へ放出されたイオン量を多くすることができ、室内空気の清浄化をより一層高めることができる。
【発明の効果】
【００１９】
本発明によれば、イオン発生部が発生したイオンを、空気の通流が層流となるようになしてある層流部で空気に含ませることができるため、イオン発生部が発生したイオンを空気に効率的に含ませることができ、空気に含まれるイオン量を増すことができる。因って、室内へ放出されるイオン量を多くすることができる。
【図面の簡単な説明】
【００２０】
【図１】本発明に係る空気清浄装置の構成を示す縦断側面図である。
【図２】本発明に係る空気清浄装置の要部の構成を示す正面図である。
【図３】本発明に係る空気清浄装置の要部の構成を示す側面図である。
【図４】本発明に係る空気清浄装置のイオン発生器の構成を示すもので、(ａ) は正面図、(ｂ) は側面図である。
【図５】室内の床に据えられた本発明に係る空気清浄装置の放出口から吹出された空気を室内で測定する見取図である。
【発明を実施するための形態】
【００２１】
以下本発明をその実施の形態を示す図面に基づいて詳述する。ここでは、空気清浄装置を例に説明する。図１は本発明に係る空気清浄装置の構成を示す縦断側面図、図２は要部の構成を示す正面図、図３は要部の構成を示す側面図、図４はイオン発生器の構成を示すもので、(ａ) は正面図、(ｂ) は側面図である。
【００２２】
図１に示した空気清浄装置は、後壁１ａに吸込口１１を有し、天壁１ｂに放出口１２を有するハウジング１と、該ハウジング１内の下部に配されている送風機２と、吸込口１１の内側に配され、送風機２が吸込口１１から吸込む空気を通過させ、該空気中の異物を除去して清浄の空気にするフィルタ３と、送風機２及び放出口１２の間に配され、前記空気を前記放出口１２へ通流させる通流路としてのダクト４と、二つのイオン発生部５１，５２を有し、送風機２が送風する空気にプラスイオン及びマイナスイオンを含ませるイオン発生器５とを備える。この空気清浄装置は、イオン発生部５１，５２が発生するプラスイオン及びマイナスイオンを、送風機２が送風する空気に含ませ、空気とともにプラスイオン及びマイナスイオンを放出口１２から外部へ放出すように構成されている。
【００２３】
ハウジング１は平面視矩形をなす底壁１ｃと、該底壁１ｃの二辺に連なる前壁１ｄ、後壁１ａ及び底壁１ｃの他の二辺に連なる側壁と、天壁１ｂとを有する略直方体をなす。後壁１ａにはその長手方向が上下となり、長方形をなす吸込口１１が設けられ、天壁１ｂにはその長手方向が両側壁側となり、長方形をなす放出口１２が設けられている。
【００２４】
送風機２は、円筒形状をなし、回転軸が前後となるように配される羽根車２１及び該羽根車２１を回転自在に収容してあるケーシング２２を有する遠心形であり、羽根車２１を駆動するモータ６が、ケーシング２２の前側部に取付けられている。
【００２５】
羽根車２１は、外縁に対し回転中心側が回転方向へ変位する複数の羽根２１ａを有する多翼羽根車、換言すると円筒形状をなすシロッコ羽根車である。この羽根車２１の一端には軸受板を有し、該軸受板の中心に開設されている軸孔にモータ６の出力軸が取付けられ、他端の開口から中心部の空洞へ吸込んだ空気を外周部の羽根２１ａ間から放出するように構成されている。
【００２６】
ケーシング２２は、羽根車２１の回転により発生する気流を羽根車２１の回転方向へ誘導して層流とし、気流の速度を速めるための円弧形誘導壁２２ａと、該円弧形誘導壁２２ａの一部から円弧形誘導壁２２ａの接線方向一方へ上向きに開放された吹出口２２ｂと、羽根車２１の周面及び円弧形誘導壁２２ａ間に配されている円弧形仕切壁２２ｃとを有する。吹出口２２ｂは円弧形誘導壁２２ａの一部から円弧形誘導壁２２ａの接線方向一方へ突出する角筒形状をなしている。また、ケーシング２２は、深皿形をなし、円弧形誘導壁２２ａと円弧形仕切壁２２ｃ及び吹出口２２ｂ用の開放部とを有するケーシング本体２ａと、羽根車２１の前記開口と対応する箇所が開放され、ケーシング本体２ａの開放側を閉塞する蓋板２ｂとを備え、該蓋板２ｂがケーシング本体２ａに複数本の雄螺子により取付けられている。尚、円弧形誘導壁２２ａが、羽根車２１の回転により発生する気流を整風する整風体を構成しており、また、円弧形誘導壁２２ａと円弧形仕切壁２２ｃとの間の円弧状通流路２２ｄが層流部Ｆになっている。
【００２７】
このように構成されたケーシング２２の円弧形誘導壁２２ａには、イオン発生部５１，５２に対応する貫通孔及び貫通孔と離隔する取付孔が開設されており、該取付孔に捩込まれる雄螺子によりイオン発生器５が取付けられている。
【００２８】
ダクト４は、その下端が吹出口２２ｂに連なり、その上端が開放されている角筒形をなし、ケーシング本体２ａ及び蓋板２ｂと一体に成形されている。また、ダクト４は、吹出口２２ｂから円弧形誘導面２２ａの接線方向一方に沿って配された一側壁４ａと、吹出口２２ｂから前記一側壁との離隔距離が漸次長くなる他側壁４ｂと、一側壁４ａ及び他側壁４ｂに連なり、鉛直に配された後壁４ｃ及び吹出口２２ｂから後壁４ｃとの離隔距離が漸次短くなる前壁４ｄとを有する。ダクト４は、前壁４ｄの羽根車２１に面する側が層流部Ｆになっており、吹出口２２ｂから吹出された空気を、一側壁４ａ、後壁４ｃ及び前壁４ｄに沿って層流に誘導するように構成されている。また、前壁４ｄにはイオン発生部５１，５２に対応する貫通孔及び貫通孔と離隔する取付孔が開設されている。イオン発生器５は、層流部Ｆに臨ませて前壁の貫通孔にはめ込まれ、取付孔に挿入される雄螺子により固定される。
【００２９】
イオン発生器５は、送風機２が送風する空気の通流方向と交差する方向へ離隔した二つのイオン発生部５１，５２と、イオン発生部５１，５２に電圧を供給する給電部と、イオン発生部５１，５２及び給電部を保持する保持体５３とを備える。イオン発生器５は、給電部がイオン発生部５１，５２に電圧を供給することにより、イオン発生部５１，５２がコロナ放電し、イオンを発生するように構成されている。
【００３０】
イオン発生部５１，５２は、尖鋭状をなす放電電極凸部５１ａ，５２ａ、及び該放電電極凸部５１ａ，５２ａを囲繞する誘導電極環５１ｂ，５２ｂを有し、誘導電極環５１ｂ，５２ｂ夫々の中心部に放電電極凸部５１ａ，５２ａを配してある。イオン発生器５は、一方のイオン発生部５１がプラスのイオンを発生し、他方のイオン発生部５２がマイナスのイオンを発生するように構成されている。
【００３１】
イオン発生器５は、ケーシング２２の整風体を構成する円弧形誘導壁２２ａと、ダクト４の前壁４ｄとに取付けられ、空気が通流する通流方向と交差する位置に二つのイオン発生部５１，５２を配してある。
【００３２】
ケーシング２２の円弧形誘導壁２２ａに取付けられるイオン発生器５は、３個を一つの保持体５３に保持してある。３個のイオン発生器５は、前記通流方向（円弧形誘導壁２２ａの円弧方向）へ離隔して並置され、且つ前記通流方向と交差する方向（羽根車２１の回転軸方向）へ相対的に偏倚している。また、３個のイオン発生器５のイオン発生部５１，５２は、相対的に偏倚する方向の極性を等しくし、且つ前記通流方向の重なりがないように配してあり、イオン発生器５夫々のイオン発生部５１，５２が前記貫通孔からケーシング２２内に臨んでいる。また、保持体５３のケーシング２２への取付側は前記通流方向へ湾曲し、且つイオン発生部５１，５２夫々に対応する３箇所が開口５３ａされている湾曲面５３ｂを有し、該湾曲面５３ｂの夫々の開口５３ａに前記イオン発生部５１，５２を配してある。
【００３３】
以上のように構成された空気清浄装置は吸込口１１が壁側となるように居住室内の壁の近くに据えられる。
【００３４】
送風機２の駆動により、羽根車２１が回転し、室内の空気が吸込口１１からハウジング１内へ吸込まれ、吸込口１１及び放出口１２間に空気の通流路が発生し、吸込まれた空気中の塵埃等の異物はフィルタ３により除去されて清浄の空気となる。
【００３５】
フィルタ３を通過した空気は、送風機２のケーシング２２内に吸込まれる。この際、ケーシング２２内に吸込まれた空気は、羽根車２１周りの円弧形仕切壁２２ｃに沿う気流となりつつ円弧形仕切壁２２ｃ及び円弧形誘導壁２２ａ間の円弧状通流路２２ｄへ送出される。気流は円弧形誘導壁２２ａにより整流され、円弧状通流路２２ｄの層流部Ｆにて層流となる。層流部Ｆにて層流に通流する空気が円弧形誘導壁２２ａに沿って図２の２点鎖線の矢印Ｘで示す如く、吹出口２２ｂへ誘導され、該吹出口２２ｂからダクト４内へ吹出される。
【００３６】
送風機２におけるケーシング２２の円弧形誘導壁２２ａにはイオン発生部５１，５２を配してあるため、イオン発生部５１，５２が発生したイオンを、円弧形誘導壁２２ａに沿って比較的狭い層流部Ｆの通路を層流に通流する空気に効率的に含ませることができる。また、円弧形誘導壁２２ａに沿って通流する空気は高風速で通流するため、イオンをより一層効率的に空気に含ませることができる。
【００３７】
また、イオン発生器５は、空気の通流方向と交差する位置に二つのイオン発生部５１，５２を配し、空気に初めてイオンを含ませる箇所を多くしてあるため、イオンをより一層効率的に空気に含ませることができる。
【００３８】
また、イオン発生器５は、清浄空気の通流方向へ離隔して３個を配し、且つ３個のイオン発生器５を前記通流方向と交差する方向へ相対的に偏倚させ、イオン発生器５夫々のイオン発生部５１，５２を前記通流方向の重なりがないように配してある。このイオン発生器５の配置により、空気に初めてイオンを含ませる箇所を多くし、イオン発生器５夫々のイオン発生部５１，５２が発生したプラスイオンと、マイナスイオンとが打ち消されるのを防ぐようにしてある。因って、ケーシング２２を大形にすることなく、イオンをより一層効率的に空気に含ませることができる。
【００３９】
以上のように層流に通流する空気に含ませたプラスイオン及びマイナスイオンは、空気がケーシング２２の吹出口２２ｂからダクト４内へ吹出される際に混じり合う。
【００４０】
ダクト４は、一側壁４ａ、後壁４ｃ及び前壁４ｄに沿って空気を層流に通流させるように構成されており、この層流に通流させる前壁４ｄにイオン発生部５１，５２を配してある。因って、送風機２のケーシング２２内でプラスイオン及びマイナスイオンを含ませてある空気に、さらにダクト４に配してあるイオン発生部５１，５２が発生したプラスイオン及びマイナスイオンを含ませることができ、空気中のイオン量を増すことができる。
【００４１】
図５は室内の床に据えられた本発明に係る空気清浄装置の放出口から吹出された空気を室内で測定する見取図である。表１は室内でのイオン量を測定した結果を示すデータである。イオン発生器を備える従来の空気清浄装置と、本発明に係る空気清浄装置との室内Ａ〜Ｅ点でのイオン量を測定したところ、表１に示す結果が得られた。図５において、室内は、５．１ｍ×５．７ｍの床面積であり、空気清浄装置は５．７ｍ側の一の壁に対し０．３ｍ離隔した床に据えてある。また、測定点Ａは室内の５．１ｍ側の一の壁に対し０．１ｍ離隔した箇所で、５．７ｍ側の１，３，５点の箇所である。測定点Ｃは室内の５．１ｍ側の中央で、５．７ｍ側の１，３，５点の箇所である。測定点Ｅは室内の５．１ｍ側の他の壁に対し０．１ｍ離隔した箇所で、５．７ｍ側の１，３，５点の箇所である。また、測定時間は吹出開始から２０分間、イオン量は空気中のプラスイオン数（個／cm3）、マイナスイオン数（個／cm3）である。
【００４２】
【表１】
2010075664.tif 000003
【００４３】
表１の測定結果により、測定点平均の除菌イオン量は３９，６１１（個／cm3 ）、増加率は１５４％であり、室内へ放出されたイオン量を多くすることができることを実証することができた。
また、従来から正イオンＨ+ （Ｈ2 Ｏ）ｍ（ｍは任意の整数）、負イオンＯ2 - （Ｈ2 Ｏ）ｎ（ｎは任意の整数）を空気中に送出し、イオンの反応によって浮遊細菌等を殺菌することは知られていた。しかし、前記イオンは各々が再結合して消滅するため、イオン発生素子の極近傍では高濃度が実現できても、送出する距離が遠くなればなるほど急激にその濃度が減少してしまっていた。従って、実験装置のような小容量の空間ではイオン濃度を数万個／cm3 とすることが出来ても、実際の居住空間や作業空間等の大きな空間ではせいぜい２〜３，０００個／cm3 の濃度とするのが限度であった。
一方発明者らは、実験室レベルで前記イオン濃度が７０００個／cm3 の時には、トリインフルエンザウイルスが１０分間で９９％、５０，０００個／cm3 においては９９.９％除去できることを発見した。双方の除去率が持つ意味は、空気中に１，０００個／cm3のウイルスが存在したと仮定すると、各々１０個／cm3 及び１個／cm3 が残留することを示す。つまり、イオン濃度を７，０００個／cm3 から５０，０００個／cm3 に高めることによって、残留するウイルスが１／１０になるのである。
このことから、人などが生活する居住空間や作業空間において、高濃度のイオンを送出するだけではなく、空間全体にイオン濃度を高濃度にすることが感染症予防や環境浄化において非常に重要なことであることがわかる。
【００４４】
尚、以上説明した実施例の形態では、空気の通流が層流となる層流部Ｆを有するケーシングの円弧形誘導壁２２ａに３個のイオン発生器５を配し、空気の通流が層流となる層流部Ｆを有するダクト４の前壁４ｄに１個のイオン発生器５を配してある。その他、イオン発生器５は空気の通流が層流となるようになしてある層流部Ｆに配する構成であればよく、イオン発生器５を配する箇所は特に制限されない。例えば、吹出口２２ｂの円弧形誘導壁２２ａに連なる箇所、及び円弧形誘導壁２２ａ、ダクト４の前壁４ｄの少なくとも１箇所に配する構成とする。
【符号の説明】
【００４５】
１    ハウジング
１１  吸込口
１２  放出口
２    送風機
２１  羽根車
２２  ケーシング
２２ａ  円弧形誘導壁
２２ｂ  吹出口
３    フィルタ
４    ダクト
５    イオン発生器
５１，５２  イオン発生部
５３  保持体
Ｆ    層流部
【図１】
2010075664.tif 000004
【図２】
2010075664.tif 000005
【図３】
2010075664.tif 000006
【図４】
2010075664.tif 000007
【図５】
2010075664.tif 000008
【手続補正書】
【提出日】平成21年7月21日(2009.7.21)
【手続補正１】
【補正対象書類名】明細書
【補正対象項目名】０００８
【補正方法】変更
【補正の内容】
【０００８】
本発明に係るイオン発生装置は、吸込口及び放出口を有するハウジングと、該ハウジング内に収容されている送風機と、該送風機が前記吸込口から吸込む空気を通過させるフィルタと、イオンを発生させるイオン発生部とを備え、該イオン発生部が発生したイオンを、前記送風機により吸込まれた空気とともに前記放出口から放出するようになしてあるイオン発生装置において、前記送風機は羽根車を有し、該羽根車の回転により発生する気流を整風する整風体を備え、前記イオン発生部は、正イオンを発生する正イオン発生部と負イオンを発生する負イオン発生部とを有し、前記整風体によって前記空気の通流が層流となる層流部に配すると共に、前記通流方向へ離隔し、且つ前記通流方向と交差する方向へ相対的に偏倚した位置に複数配してあることを特徴とする。
【手続補正２】
【補正対象書類名】明細書
【補正対象項目名】００１０
【補正方法】変更
【補正の内容】
【００１０】
この発明にあっては、整風体により整風にされて層流に通流する空気にイオンを効率的に含ませることができるため、空気とともに放出口から放出されるイオン量をより一層増すことができる。
【手続補正３】
【補正対象書類名】明細書
【補正対象項目名】００１４
【補正方法】変更
【補正の内容】
【００１４】
この発明にあっては、ケーシング内の比較的狭い通路で層流の空気にイオンを含ませる箇所を多くすることができる。因って、イオン発生部が発生したイオンをより一層効率的に空気に含ませることができ、空気とともに放出口から放出されるイオン量をより一層増すことができる。
【手続補正４】
【補正対象書類名】明細書
【補正対象項目名】００１５
【補正方法】変更
【補正の内容】
【００１５】
この発明にあっては、ケーシング内の比較的狭い通路で層流の空気にイオンを含ませる箇所を、既存のケーシングで多くすることができる。因って、イオン発生部が発生したイオンをより一層効率的に空気に含ませることができ、空気とともに放出口から放出されるイオン量をより一層増すことができる。
【手続補正５】
【補正対象書類名】明細書
【補正対象項目名】００１８
【補正方法】変更
【補正の内容】
【００１８】
本発明に係るイオン発生装置は、吸込口及び放出口を有するハウジングと、該ハウジング内に収容されている送風機と、前記送風機から発生する気流を誘導する円弧形誘導壁に設けられ正イオンを発生する正イオン発生部と負イオンを発生する負イオン発生部とを有する第１イオン発生部と、前記円弧形誘導壁に沿って通流する空気を誘導する吹出口に連なるダクトに設けられ正イオンを発生する正イオン発生部と負イオンを発生する負イオン発生部とを有する第２イオン発生部と、前記第１イオン発生部及び前記第２イオン発生部が発生した正イオン及び負イオンを、前記送風機により吸込まれた空気とともに前記放出口から放出することを特徴とする。本発明に係るイオン発生装置は、前記ダクトは一の壁に対する離隔距離が漸次短くなる他の壁を含み、前記第２イオン発生部は、前記他の壁に設けられていることを特徴とする。
また、本発明に係る空気清浄装置は、前述に記載のイオン発生装置を備えることを特徴とする。
この発明にあっては、イオン発生部が発生したイオンを、空気の通流が層流となるようになしてある層流部で空気に含ませることができる。因って、イオン発生部が発生したイオンを空気に効率的に含ませることができ、空気に含まれるイオン量を増すことができ、室内へ放出されたイオン量を多くすることができ、室内空気の清浄化をより一層高めることができる。
【手続補正６】
【補正対象書類名】特許請求の範囲
【補正対象項目名】全文
【補正方法】変更
【補正の内容】
【特許請求の範囲】
【請求項１】
吸込口及び放出口を有するハウジングと、該ハウジング内に収容されている送風機と、該送風機が前記吸込口から吸込む空気を通過させるフィルタと、イオンを発生させるイオン発生部とを備え、該イオン発生部が発生したイオンを、前記送風機により吸込まれた空気とともに前記放出口から放出するようになしてあるイオン発生装置において、
前記送風機は羽根車を有し、該羽根車の回転により発生する気流を整風する整風体を備え、
前記イオン発生部は、正イオンを発生する正イオン発生部と負イオンを発生する負イオン発生部とを有し、前記整風体によって前記空気の通流が層流となる層流部に配すると共に、
前記通流方向へ離隔し、且つ前記通流方向と交差する方向へ相対的に偏倚した位置に複数配してある
ことを特徴とするイオン発生装置。
【請求項２】
前記送風機は、羽根車及び該羽根車を収容してあるケーシングを有し、該ケーシング及び前記放出口の間に配され、前記空気を前記放出口へ通流させる通流路を有し、該通流路及び前記ケーシングに前記イオン発生部を配してある請求項１記載のイオン発生装置。
【請求項３】
前記ケーシングは、前記羽根車の回転により発生する気流を誘導する円弧形誘導壁及び該円弧形誘導壁の一部から円弧形誘導壁の接線方向一方へ開放されている吹出口を有し、前記円弧形誘導壁に前記イオン発生部を配してある請求項２記載のイオン発生装置。
【請求項４】
前記イオン発生部夫々は、前記通流方向の重なりがないように配してある請求項１記載のイオン発生装置。
【請求項５】
前記イオン発生部夫々を保持する保持体を有し、該保持体は、前記通流方向へ湾曲し、且つ前記イオン発生部夫々に対応する箇所が開口している湾曲面を有し、該湾曲面の前記開口に前記イオン発生部夫々を配してある請求項４記載のイオン発生装置。
【請求項６】
吸込口及び放出口を有するハウジングと、
該ハウジング内に収容されている送風機と、
前記送風機から発生する気流を誘導する円弧形誘導壁に設けられ正イオンを発生する正イオン発生部と負イオンを発生する負イオン発生部とを有する第１イオン発生部と、
前記円弧形誘導壁に沿って通流する空気を誘導する吹出口に連なるダクトに設けられ正イオンを発生する正イオン発生部と負イオンを発生する負イオン発生部とを有する第２イオン発生部と、
前記第１イオン発生部及び前記第２イオン発生部が発生した正イオン及び負イオンを、前記送風機により吸込まれた空気とともに前記放出口から放出する
ことを特徴とするイオン発生装置。
【請求項７】
前記ダクトは一の壁に対する離隔距離が漸次短くなる他の壁を含み、
前記第２イオン発生部は、前記他の壁に設けられている
ことを特徴とする請求項６に記載のイオン発生装置。
【請求項８】
請求項１から７までのいずれか一つに記載のイオン発生装置を備える空気清浄装置。
【手続補正書】
【提出日】平成21年9月11日(2009.9.11)
【手続補正１】
【補正対象書類名】明細書
【補正対象項目名】０００８
【補正方法】変更
【補正の内容】
【０００８】
本発明に係るイオン発生装置は、吸込口及び放出口を有するハウジングと、該ハウジング内に収容されている送風機と、該送風機が前記吸込口から吸込む空気を通過させるフィルタと、イオンを発生させるイオン発生部とを備え、該イオン発生部が発生したイオンを、前記送風機により吸込まれた空気とともに前記放出口から放出するようになしてあるイオン発生装置において、前記送風機は羽根車を有し、該羽根車の回転により発生する気流を整風する整風体を備え、前記整風体は前記送風機のケーシングと、該送風機のケーシングと前記放出口とを繋げるダクトとを含み、前記イオン発生部は、正イオンを発生する正イオン発生部と負イオンを発生する負イオン発生部とを有し、前記整風体によって前記ケーシング及び前記ダクトの特定箇所に形成され前記空気の通流が層流となる層流部に配すると共に、前記通流方向へ離隔し、且つ前記通流方向と交差する方向へ相対的に偏倚した位置に複数配してあることを特徴とする。
【手続補正２】
【補正対象書類名】明細書
【補正対象項目名】００１８
【補正方法】変更
【補正の内容】
【００１８】
本発明に係るイオン発生装置は、吸込口及び放出口を有するハウジングと、該ハウジング内に収容されている送風機と、前記送風機から発生する気流を誘導する前記送風機のケーシングの部分を成す円弧形誘導壁に設けられ正イオンを発生する正イオン発生部と負イオンを発生する負イオン発生部とを有する第１イオン発生部と、前記円弧形誘導壁に沿って通流する空気を誘導する前記送風機のケーシングの吹出口に連なるダクトに設けられ正イオンを発生する正イオン発生部と負イオンを発生する負イオン発生部とを有する第２イオン発生部と、前記第１イオン発生部及び前記第２イオン発生部が発生した正イオン及び負イオンを、前記送風機により吸込まれた空気とともに前記放出口から放出することを特徴とする。本発明に係るイオン発生装置は、前記ダクトは一の壁に対する離隔距離が漸次短くなる他の壁を含み、前記第２イオン発生部は、前記他の壁に設けられていることを特徴とする。
また、本発明に係る空気清浄装置は、前述に記載のイオン発生装置を備えることを特徴とする。
この発明にあっては、イオン発生部が発生したイオンを、空気の通流が層流となるようになしてある層流部で空気に含ませることができる。因って、イオン発生部が発生したイオンを空気に効率的に含ませることができ、空気に含まれるイオン量を増すことができ、室内へ放出されたイオン量を多くすることができ、室内空気の清浄化をより一層高めることができる。
【手続補正３】
【補正対象書類名】特許請求の範囲
【補正対象項目名】全文
【補正方法】変更
【補正の内容】
【特許請求の範囲】
【請求項１】
吸込口及び放出口を有するハウジングと、該ハウジング内に収容されている送風機と、該送風機が前記吸込口から吸込む空気を通過させるフィルタと、イオンを発生させるイオン発生部とを備え、該イオン発生部が発生したイオンを、前記送風機により吸込まれた空気とともに前記放出口から放出するようになしてあるイオン発生装置において、
前記送風機は羽根車を有し、該羽根車の回転により発生する気流を整風する整風体を備え、前記整風体は前記送風機のケーシングと、該送風機のケーシングと前記放出口とを繋げるダクトとを含み、
前記イオン発生部は、正イオンを発生する正イオン発生部と負イオンを発生する負イオン発生部とを有し、前記整風体によって前記ケーシング及び前記ダクトの特定箇所に形成され前記空気の通流が層流となる層流部に配すると共に、
前記通流方向へ離隔し、且つ前記通流方向と交差する方向へ相対的に偏倚した位置に複数配してある
ことを特徴とするイオン発生装置。
【請求項２】
前記送風機は、羽根車及び該羽根車を収容してあるケーシングを有し、該ケーシング及び前記放出口の間に配され、前記空気を前記放出口へ通流させる通流路を有し、該通流路及び前記ケーシングに前記イオン発生部を配してある請求項１記載のイオン発生装置。
【請求項３】
前記ケーシングは、前記羽根車の回転により発生する気流を誘導する円弧形誘導壁及び該円弧形誘導壁の一部から円弧形誘導壁の接線方向一方へ開放されている吹出口を有し、前記円弧形誘導壁に前記イオン発生部を配してある請求項２記載のイオン発生装置。
【請求項４】
前記イオン発生部夫々は、前記通流方向の重なりがないように配してある請求項１記載のイオン発生装置。
【請求項５】
前記イオン発生部夫々を保持する保持体を有し、該保持体は、前記通流方向へ湾曲し、且つ前記イオン発生部夫々に対応する箇所が開口している湾曲面を有し、該湾曲面の前記開口に前記イオン発生部夫々を配してある請求項４記載のイオン発生装置。
【請求項６】
吸込口及び放出口を有するハウジングと、
該ハウジング内に収容されている送風機と、
前記送風機から発生する気流を誘導する前記送風機のケーシングの部分を成す円弧形誘導壁に設けられ正イオンを発生する正イオン発生部と負イオンを発生する負イオン発生部とを有する第１イオン発生部と、
前記円弧形誘導壁に沿って通流する空気を誘導する前記送風機のケーシングの吹出口に連なるダクトに設けられ正イオンを発生する正イオン発生部と負イオンを発生する負イオン発生部とを有する第２イオン発生部と、
前記第１イオン発生部及び前記第２イオン発生部が発生した正イオン及び負イオンを、前記送風機により吸込まれた空気とともに前記放出口から放出する
ことを特徴とするイオン発生装置。
【請求項７】
前記ダクトは一の壁に対する離隔距離が漸次短くなる他の壁を含み、
前記第２イオン発生部は、前記他の壁に設けられている
ことを特徴とする請求項６に記載のイオン発生装置。
【請求項８】
請求項１から７までのいずれか一つに記載のイオン発生装置を備える空気清浄装置。